Podtech/llm-jp-corpus-v4-ja_patent huggingface dataset:
(57)【要約】      （修正有）【課題】ステープラーの腕の長さを超えた大判の紙を容易に中綴じできるステープラーの針受け具を提供する。【解決手段】長尺の板材に波板状の溝を有する針受け具１を中綴じしたい箇所の下に配置し、針受け具１が紙４からはみ出て見える部分や、紙４の表面に生じる針受け具１の凸凹などを目安に位置決めを行い、ステープラ３と針受け具１を嵌合させ、この状態で釘打ちすると、針は紙４を貫通して針受け具１で曲げられ、針打ちが完了する。【選択図】図４
2011218536.tif 000002
【特許請求の範囲】
【請求項１】
別体のステープラーから押し出される針を受けて所要形状に曲げる針受け部が波板状の溝を有していることを特徴とするステープラーの針受け具。
【発明の詳細な説明】
【技術分野】
【０００１】  本発明は、小型ステープラーと組み合わせて使用することによって、小型ステープラーでは中綴じできない大判の紙にとじ針を打つことができるステープラーの針受け具に関するものである。
【背景技術】
【０００２】  小型ステープラーでは、その腕の長さを超えた紙の内側へとじ針を打つことはできない。そのため小型ステープラーと組み合わせて使用する針受け具が存在している。
【先行技術文献】
【特許文献】
【０００３】
【特許文献１】特開２００６−２１８６０２
【発明の概要】
【発明が解決しようとする課題】
【０００４】  上記従来のステープラーの針受け具では、とじ針を打つ際の位置決めに正確さを要するという問題がある。本発明はこの問題を解決することを課題としている。
【課題を解決するための手段】
【０００５】  本発明においては、ステープラーの針受け部が、長尺の板材にトタン板のような波板状の溝を有する形状となっている。
【発明の効果】
【０００６】  針受け部を波板状にすることによって位置決めが容易になり、多少のぶれを気にせずにとじ針を打つことができる。
【図面の簡単な説明】
【０００７】
【図１】本発明の斜視図である。
【図２】本発明の他の実施例を示す斜視図である。
【図３】本発明の断面図である。
【図４】本発明の使用状態を示す平面図である。
【発明を実施するための形態】
【０００８】  図面を参照して本発明の実施の形態を説明する。ステープラー３と針受け具１とを用いて紙４を綴じる場合、図４に示すように針受け具１を紙４の中綴じしたい箇所の下に置く。
【０００９】  次に、針受け具１が紙４からはみ出て見える部分や、紙４の表面に生じる針受け具１や針受け部２による凹凸などを目安に位置決めを行い、ステープラー３と針受け部２とを嵌合させる。この状態でステープラー３を押し下げて針打ちさせれば、針は紙４を貫通して針受け部２で曲げられ、針打ちが完了する。
【００１０】  図４に示すように、針受け具１に対してステープラー３をその上に平行に配置し、針受け部２と嵌合させることは容易である。また、ステープラー３の位置を前後に移動させたとしても針受け部２が波板状のため嵌合状態は保たれる。よって多少のぶれを気にする必要なく、中綴じしたい箇所に容易にとじ針を打つことができる。
【００１１】  また、針受け具１は目盛りなどを付して定規として用いることもできる。
【符号の説明】
【００１２】１  針受け具
２  針受け部
３  ステープラー
４  紙
【図１】
2011218536.tif 000003
【図２】
2011218536.tif 000004
【図３】
2011218536.tif 000005
【図４】
2011218536.tif 000006
(57)【要約】【課題】高所現場での作業中など身体を支えるためや、取付ける材料を持つために両手でビスを打つことが困難なとき、片方の手だけでビスを打つのだが、ビスがドライバーの先から外れ落ちたり倒れたりして作業能率が悪かった。  本発明は、片方の手だけで楽にビスが打てるようにビスガードそのものをドライバーと一体化させ、ビスガードがドライバー上を前後にスライドできるように工夫された落下防止ビスガード付きのドライバービットを提供する。【解決手段】ドライバーにスプリング止めを設け、ドライバーの先からスプリングを通し、ドライバーとスプリングを両側からはさみ込むようにプラスチックの落下防止用のビスガードを設けた。【選択図】図１
2011218540.tif 000002
【特許請求の範囲】
【請求項１】
スプリング止めを設けたドライバーの先端からスプリングを通していき、前記ドライバーと前記スプリングの上に落下防止ビスガードを両側から挟み込むように取付け、取付けた前記落下防止ビスガードはビスの落下を防ぐように前記ドライバー上を前後にスライドできるようにし、ビスを打ち終わると瞬時に元の位置に戻るように前記ドライバーに前記スプリングを設けた落下防止ビスガード付きドライバービット。
【発明の詳細な説明】
【技術分野】
【０００１】  本発明は、ビスの落下を防ぐための落下防止ビスガード付きドライバービットに関するものである。
【背景技術】
【０００２】  従来、高所でビスを打つときは片方の手が塞がれるので、ビスが落下したり横転したりして作業の効率が悪かった。
なお、ドライバーに直接横転防止ガードを突き刺す種類のものが知られている。
（特許文献１参照）（特許文献２参照）。
【先行技術文献】
【０００３】
【特許文献１】  特開平１１−１５１６７８号報
【特許文献２】  実用新案第３００３３１０号報
【発明の概要】
【発明が解決しようとする課題】
【０００４】  高所でビスを打つときや材料を持って片方の手だけでビスを打つとき、ビスが落下したり横転したりして作業効率が悪かった。ドライバーに横転防止ガードを取り付けるものもあるが、大小のビスに対応できなかったり、ビスを１本打った後手動でガードを元の位置に戻さなければ次のビスが打てない不便さがあった。
本発明は、以上の問題点を解決するためになされたものである。
【課題を解決するための手段】
【０００５】  スプリング止めを設けたドライバーの先からスプリングを通していき、ドライバーとスプリングの上から落下防止ビスガードを挟み付けるように取付ける。
落下防止ビスガードは、ビスを打ち込み始めるとビスの落下と横転を防ぎながらドライバーの上を前後にスライドできるようにし、ビスを打ち終わると瞬時に元の位置に戻るようにスプリングを設ける。
以上の構成よりなる落下防止ビスガード付きドライバービット。
【発明の効果】
【０００６】  従来高所作業時などで、身体を支えるために片方の手だけで作業しなければいけないとき、ビスの落下や横転を防ぎ、なお且つ次のビスを打つ準備が瞬時にできるので安全であり作業効率も上がる。
本発明は、安価に製造可能なので、ビスの太さや長さによって種類を増やすことが出来る。
【図面の簡単な説明】
【０００７】
【図１】本発明の構造を表す透視図
【図２】本発明のパーツを表す断面図
【図３】本発明の使用前を表す断面図
【図４】本発明の使用中を表す断面図
【図５】本発明の販売における応用図
【発明を実施するための形態】
【０００８】  以下、本発明の実施の形態を説明する。
（イ）ドライバー（３）にスプリング・ビスガード止め（４）を設ける。
（ロ）ドライバー（３）の先端からスプリング（２）を差込みながらスプリング・ビスガード止め（４）まで押し込むように通す。
（ハ）スプリング（２）が嵌め込まれたドライバー（３）に、落下防止ビスガード（１）を両側からはさみこむように設ける。
本発明は以上のような構造である。
本発明を使用するときは、ドライバー（３）の先にビス（７）をあてがい、落下防止ビスガード（１）に落下を防止されながら木材（８）にビスを打ち込んでいく。ビス（７）が木材（８）に打込まれる分だけ落下防止ビスガード（１）は後方にスライドする。ビス（７）が完全に打ち込まれた後、ドライバー（３）を木材（８）から離すと、落下防止ビスガード（１）はスプリング（２）の力で元の位置に戻り次の準備に入れる。
【符号の説明】
【０００９】  （１）落下防止ビスガード、（２）スプリング、（３）ドライバー、（４）スプリング・ビスガード止め、（５）スプリング押え、（６）ビスガードスライド補助部、（７）ビス、（８）木材
【図１】
2011218540.tif 000003
【図２】
2011218540.tif 000004
【図３】
2011218540.tif 000005
【図４】
2011218540.tif 000006
【図５】
2011218540.tif 000007
(57)【要約】      （修正有）【課題】モールド成形装置を用いた樹脂の成形加工において、モールド成形後に金型から樹脂を脱型するために使用する樹脂モールド成形用の離型フィルムの金型追従性を向上させる。【解決手段】中間層の両側に含フッ素ポリマー層からなる外面層を有し、上記中間層が、含フッ素ポリマー層の両側にフッ素非含有ポリマー層を有する複合層、あるいは、上記中間層の含フッ素ポリマー層と、フッ素非含有ポリマー層とをそれぞれ２層以上有する複合層とする。【選択図】なし【特許請求の範囲】
【請求項１】
中間層の両側に含フッ素ポリマー層からなる外面層を有し、上記中間層が含フッ素ポリマー層と、フッ素非含有ポリマー層との複合層からなることを特徴とする離型フィルム。
【請求項２】
上記中間層が、含フッ素ポリマー層の両側にフッ素非含有ポリマー層を有する複合層からなる請求項１記載の離型フィルム。
【請求項３】
上記中間層の含フッ素ポリマー層と、フッ素非含有ポリマー層とがそれぞれ２層以上有する請求項１記載の離型フィルム。
【請求項４】
上記含フッ素ポリマー層は、炭素−炭素二重結合、カルボニル基、ヒドロキシル基、シアノ基、スルホン酸基、及び、エポキシ基からなる群より選択される少なくとも１つの接着性官能基を有するポリマーである請求項１〜３のいずれかに記載の離型フィルム。
【請求項５】
上記フッ素非含有ポリマー層は、ポリアミド、ポリエステル、ポリカーボネート、ポリ塩化ビニル、ポリアクリル、ポリ酢酸ビニル、ポリオレフィン、ポリビニルアルコール、及び、エチレン／ビニルアルコール共重合体からなる群より選択される少なくとも１種のポリマーからなる請求項１〜４のいずれかに記載の離型フィルム。
【請求項６】
樹脂モールド成形用離型フィルムである請求項１〜５のいずれかに記載の離型フィルム。
【発明の詳細な説明】
【技術分野】
【０００１】
この発明は、離型フィルム、特に樹脂モールド成形用の離型フィルムに関するものである。
【背景技術】
【０００２】
樹脂モールド成形用の離型フィルムは、モールド成形装置を用いた樹脂の成形加工において、モールド成形後に金型から樹脂（封止材料）を脱型するために、金型と樹脂の間に挟み込み、モールド成形された樹脂と金型を離型するために使用されるものである。
【０００３】
かかる離型フィルムは、金型への追従性が不十分であると、フィルムにシワが発生し、発生したシワがモールド樹脂に転写されるという不都合が生じる。
【０００４】
従来、この金型追従性を向上させた離型フィルムとして、両側の含フッ素ポリマー層の間に、含フッ素非含有ポリマー層を介在させたものが提案されている（特許文献１）。
【先行技術文献】
【特許文献】
【０００５】
【特許文献１】特開２００９−２８５９９０号公報
【発明の概要】
【発明が解決しようとする課題】
【０００６】
上記特許文献１に開示された離型フィルムは、金型への追従性に優れているが、金型の形状や封止材料の改良に伴って、さらに金型の形状への追従性により優れたものが求められている。
【０００７】
そこで、この発明は、従来の離型フィルムよりもさらに金型の形状への追従性により優れたものを提供することを課題とするものである。
【課題を解決するための手段】
【０００８】
前記の課題を解決するために、この発明の離型フィルムは、中間層の両側に含フッ素ポリマー層からなる外面層を有し、上記中間層が含フッ素ポリマー層と、フッ素非含有ポリマー層との複合層からなることを特徴とする。
【０００９】
上記中間層は、含フッ素ポリマー層の両側にフッ素非含有ポリマー層を有する複合層にすることができる。
【００１０】
また、上記中間層の含フッ素ポリマー層と、フッ素非含有ポリマー層とをそれぞれ２層以上有するようにしてもよい。
【００１１】
上記含フッ素ポリマー層は、炭素−炭素二重結合、カルボニル基、ヒドロキシル基、シアノ基、スルホン酸基、及び、エポキシ基からなる群より選択される少なくとも１つの接着性官能基を有するポリマーを使用することができる。
【００１２】
また、上記フッ素非含有ポリマー層は、ポリアミド、ポリエステル、ポリカーボネート、ポリ塩化ビニル、ポリアクリル、ポリ酢酸ビニル、ポリオレフィン、ポリビニルアルコール、及び、エチレン／ビニルアルコール共重合体からなる群より選択される少なくとも１種のポリマーからなる。
【００１３】
この発明の離型フィルムは、樹脂モールド成形用離型フィルムとして好適に使用することができる。
【発明の効果】
【００１４】
この発明の離型フィルムは、両側の含フッ素ポリマー層の間に、含フッ素非含有ポリマー層を介在させた従来のものよりも、金型の形状への追従性により優れている。
【発明を実施するための形態】
【００１５】
以下、この発明の実施例について説明する。
含フッ素ポリマー層を形成するフッ素樹脂として、ＥＴＦＥ：ダイキン工業社製の商品名「ネオフロン  ＥＰ−７０００」（融点２５５℃）を使用した。
【００１６】
また、含フッ素非含有ポリマー層を形成する樹脂として、ＮＹ（ポリアミド樹脂）：三菱エンジニアリングプラスチックス社製の商品名「ノバミッド  ２４３０」（融点１９５℃）と、ＰＯ（ポリオレフィン）：三菱化学社製の商品名「モディックＬ１１２」（融点１１０℃）を使用した。
【００１７】
また、比較例として、ＰＢＴ（ポリブチレンテレフタレート樹脂）：三菱エンジニアリングプラスチックス社製の商品名「ノバデュラン  ５０２０」（融点２２５℃）も使用した。
【００１８】
上記の樹脂を使用して、表１に示す層構成の離型フィルムを作製し、それぞれのフィルムの金型追従性の評価を行った。
【００１９】
多層のフィルムを製造するには、水冷式又は空冷式の共押出インフレーション法、共押出Ｔダイ法等を使用することができる。
【００２０】
【表１】
2011218588.tif 000002
【００２１】
金型追従性の評価は、次のように行った。
樹脂モールド成形法で、一定温度の金型内に離型フィルムをセットした後、金型上部の穴から真空吸引して、離型フィルムを金型上部形状に追従、密着させた。その金型内に未硬化の封止用エポキシ樹脂、シリコーン樹脂を流動させ、１２０〜１３０秒間保持し、樹脂を硬化させた後、金型を開き、成形品を脱型させた。
【００２２】
評価は、金型形状にフィルムが完全に追従し、成形圧力にフィルムが耐え、成形品形状が金型形状通りに成形されるかどうかを評価した。
◎：形状が良好でフィルム破れがない場合
○：フィルム破れはないが、形状が◎よりも若干劣る場合
△：フィルム破れはないが、形状が○よりも若干劣る場合
×：成形品形状が不良であったり、フィルム破れにより、スジ、バリ等が発生したりした場合
(57)【要約】【課題】分離した直方体の消しゴムを複数個組み合わせて、新しい角を次々に提供できるようにする。【解決手段】分離した直方体の消しゴム複数個を紙製や合成樹脂製のような軽くて丈夫な素材のもので出来たケースに格納することにより消しゴムを連結させ、容易に引き抜いて、方向を変えたり、上下を入れ替えたりできるようする。図４のように、直方体が３個であれば２４個の角を容易に次々と現出せしめて、細かい部分の正確な消去を快適に行えるようにするものである【選択図】図４
2011218570.tif 000002
【特許請求の範囲】
【請求項１】
分離した直方体の消しゴムを複数個組み合わせることにより、多くの角を提供する仕組み
【請求項２】
分離した直方体の消しゴム複数個を紙製や合成樹脂製のような軽くて丈夫な素材のもので出来たケースに格納することにより消しゴムを連結させ、容易に引き抜いて、方向を変えたり、上下を入れ替えたりできるようにして、新しい角を次々に提供できるようにすることを特徴とする。
【発明の詳細な説明】
【技術分野】
【０００１】
本発明は、分離した直方体の消しゴムを複数個組み合わせて入れ替えることにより、多くの鋭角の角を提供するものである。
【背景技術】
【０００２】
従来消しゴムは直方体のものが一般的な形状である。このような直方体状の消しゴムで角を用いて字や図を消すと少ない力で効果的に消すことができるし、細かい部分を消したい部分だけ消すことができる。
【先行技術文献】
【特許文献】
【０００３】
【特許文献１】特開２００４−３４６２４号公報
【発明の概要】
【発明が解決しようとする課題】
【０００４】
しかし、この直方体状の消しゴムの角は使用していくうちに摩滅していき、角がなくなり、なだらかな曲面状になる。
角がすべて曲面状になった段階で、字や図を消そうとすると、強い力が必要となり、かつ細かい部分を消すときには、消す必要のない部分までも消えてしまい、ピンポイントで消す作業はむずかしくなる。
また、なだらかな曲面となった面での字消し作業を行うと、曲面全体に鉛筆の汚れが付着し、次の字消し作業で逆に字や図に鉛筆の汚れを付着させてしまうことにもなる。
従来分離していない、複数の立方体が組み合わさった消しゴムがあるが、それでは形状が非常に複雑になり、扱いにくい。
【０００５】
本発明は以上に述べた課題を解決し、より多くの角を設けて、快適に字や図を消す状態を少しでも長持ちさせる消しゴムを提供するものである。
【課題を解決するための手段】
【０００６】
本発明による消しゴムは、図１のように複数個の分離した直方体の消しゴムを組み合わせ、並べ変えることにより、鋭角な角を外側に向けることができるものである。
次に組み合わせた消しゴムを遊離させないために、紙製や合成樹脂製のような軽くて丈夫な素材のもので出来たケース(d)に格納することにより消しゴムを連結させる。(図２)
ケースに格納しているので図３、簡便にケースから取り出すことができ、並べ替える作業を容易に行える。
本消しゴムの最も顕著な特徴はケースに格納した直方体の消しゴムを引き抜いて、さかさまに格納して底であった新しい角が使えることや、引き抜いて向きを変えることにより、内に向いていた新しい角を使えることにある。さらには順番を入れ替えることにより更に新しい角を使えるようになる。
【０００７】
直方体の個数と組み合わせ方法であるが、並列に１列に組み合わせる方法と、並列に２列、３列と複数列組み合わせる方法がある。５図は２個２列の組み合わせである。
直方体の数が多いほど、角の数が多くなる。直方体が４個の組み合わせであれば、角の数は４（上面の角の数）×２（底面の分）×４（個数）＝３２個となる。
また、本消しゴムは複雑な形状ではなく、シンプルな直方体であるので製造は簡易であり、安価に製造できる。
【０００８】
なお、本発明にかかる消しゴムはゴム製のものだけでなく、プラスチック樹脂と可塑剤とを主成分とするプラスチック系のものも含む。
【発明の効果】
【０００９】
本発明は複数の直方体状の消しゴムを組み合わせることによって、多くの角を保有することになり、従来の１個の直方体の消しゴムに比較して、何倍も多くの角を使用することができる。したがって細かい部分の正確な消去を快適に行えるものである。また製造コストも安価に済む。
【図面の簡単な説明】
【００１０】
【図１】図１は消しゴムをケースに入れる前の状態を示した説明図である。
【図２】図２は消しゴムをケースに格納した状態を示した説明図である。
【図３】図３は消しゴムの１個を抜いて入れ替えようとしている状態を示した図である。
【図４】図４は消しゴムをケースから出して角の数と場所を示した図である。
【図５】図５は４個の消しゴムの組み合わせをケースにいれた状態を示した図である。
【発明を実施するための形態】
【００１１】
以下に本発明の消しゴム３個による組み合わせの実施形態について述べる。
本消しゴムの最も顕著な特徴はケースに格納した複数の直方体の消しゴムを組み合わせることにある。
ケースから引き抜いて、さかさまに格納して底であった新しい角が使えることや、引き抜いて向きを変えることにより、内に向いていた新しい角を使えることにある。さらには順番を入れ替えることにより更に新しい角を使えるようになる。
図４の３個の消しゴムの組み合わせを見ると、角は（１）〜（２４）まで２４個ある。
角（１）（２）（19）（20）の角が丸くなったら、（a）(c)の向きを入れ替えて、（3）（4）（17）（18）の新しい角を使う。
（3）（4）（17）（18）の角が丸くなったら、（b）を抜いて（a）もしくは(c)と順番を入れ替えて格納し(9)(10)(11)(12)の新しい角を使う。
(1)(2)(3)(4)(9)(10)(11)(12)(17)(18)(19)(20)がすべて丸くなったら、３本ともケースから抜き取り、反対向きに格納して
(5)(6)(7)(8)(13)(14)(15)(16)(21)(22)(23)(24)の新しい角を順次使っていく。
以上のように角は２４個使えることになる。
【図１】
2011218570.tif 000003
【図２】
2011218570.tif 000004
【図３】
2011218570.tif 000005
【図４】
2011218570.tif 000006
【図５】
2011218570.tif 000007
(57)【要約】      （修正有）【課題】従来の陳列棚は、陳列のスペースやレイアウト制限があるため、陳列棚に載せた商品の見せ方や掲載量に限界があった。また、固定部をねじ等の留具を使っているため、組み立て、解体に時間と手間を必要とした。【解決手段】スタンドに設置した管１に穴３を設けた複数枚の棚２を通過させ、摩擦抵抗によって管１の途中に棚２を係止する。棚２の穴３に棚２の外周部と連絡するガイド溝を設け、ガイド溝から管１を通過させ、穴３内でストッパ４を用い管１と棚２を固定する。【選択図】図１
2011218067.tif 000002
【特許請求の範囲】
【請求項１】
スタンドに設置した管に穴を設けた複数枚の棚を通過させ、摩擦抵抗によって管の途中に棚を係止する陳列棚。
【請求項２】
請求項1において、ガイド溝から管を通過させ、係止部で係止し、ストッパーで固定する穴を有する棚でなる陳列棚。
【請求項３】
請求項2の穴は、複数個所設置することができる。
【請求項４】
請求項1の管の側面に設けた取付孔に横桟を嵌入し、さらに横桟に管の取付孔を設けて管を嵌入してなる陳列棚。
【請求項５】
形状にバリエーションをもたせ、係止時の角度から物の掲載面が水平になるように想定し、物の落下防止装置を有する棚でなる陳列棚。
【発明の詳細な説明】
【技術分野】
【０００１】
本発明は、陳列棚に関するものである。
【背景技術】
【０００２】
従来の陳列棚は、陳列のスペースやレイアウト制限があるため、陳列棚に載せた商品の見せ方に限界があった。一方において、組み立て、解体に時間と手間を必要とした。
【０００３】
この改善策として、管と横桟を嵌入結合して、陳列棚を設置するスペースにマッチした形体に形成することで、スペース利用の効率化を図る。棚は、骨格である管に摩擦抵抗で係止し、固定されているために、ねじ等の留具を必要とせず、組み立て、解体が簡単である。
【発明の開示】
【発明が解決しようとする課題】
【０００４】
この発明は、限られたスペースをいかに有効利用し、商品陳列のバリエーションとデザイン性の追求、そして、一見相反する取り扱いの簡単化を課題にしている。
【課題を解決するための手段】
【０００５】
本発明は、上記目的を達成するために、管と管の口径より大きなガイド溝を設けた棚を管に通過させ、摩擦抵抗を利用し、管の途中に棚の係止部で係止させ、陳列棚をつくる。また、横桟を管の取付孔に嵌入結合させて陳列棚を設置するスペースを有効に利用することができる。
【発明の効果】
【０００６】
限られたスペースの有効利用が可能で、陳列棚の組み立て、解体が簡単である。陳列棚の形体のオリジナル性が発揮されるため、陳列される商品の差別化が可能である。
【発明を実施するための最良の形態】
【０００７】
管をスタンドに固定して、管の口径より大きな穴を設けた棚を管に通過させ、管と棚の間に発生する摩擦抵抗によって、管の途中に棚を係止することができる。摩擦抵抗で係止しているため、棚の位置、向き方向の微調整が簡単である。
【０００８】
棚の穴をガイド溝と係止部でつくり、管を棚の側面から通過させ係止部で係止させる。棚の位置、向き方向が決定後、ストッパーで固定することができる。ストッパーは管と棚との隙間を無くす形状をしていて、棚の表前方、裏後方のどちらにも使用できる同型のものである。管が磁石対応できる金属材質の場合は磁石式ストッパーの採用で、着脱時のストッパー落下の防止をすることができる。
【０００９】
棚に複数個所の穴を設置して強度を増すことができる。
【００１０】
管の側面に横桟を嵌入できる取付孔を設け、横桟を嵌入する。横桟の側面に管を嵌入できる取付孔を設け、管を嵌入する。管と横桟を取付孔で嵌入結合させることで、陳列棚の設置されるスペースにマッチした形体をつくることができる。
【００１１】
棚の形状はバリエーションをもたせることができ、係止角度を想定して商品を掲載する面を水平になるように設定する。また、水平面を可動式にすることで、角度と方向を変更することができる。商品の落下防止装置として、棚の縁にポケットをつくることができる。
【実施例１】
【００１２】
図1は、摩擦抵抗によって係止した棚の代表図である。
【実施例２】
【００１３】
図2は、2個のガイド溝と係止部を有した棚の図である。
【産業上の利用可能性】
【００１４】
イベント会場、臨時販売所、商品のイメージデスプレイ等。
【図面の簡単な説明】
【００１５】
【図１】摩擦抵抗で係止した棚の斜視図(実施例１）
【図２】2個のガイド溝と係止部を有した棚の斜視図(実施例2)
【符号の説明】
【００１６】
1.      
管
2.      
棚
3.      
穴
4.      
ストッパー
5.      
横桟の取付孔
6.      
横桟
7.      
管の取付孔
8.      
ガイド溝
9.      
係止部
【図１】
2011218067.tif 000003
【図２】
2011218067.tif 000004
(57)【要約】      （修正有）【課題】生理の時の横漏れ及び後ろ漏れによる、衣類及び寝具等の汚れを完全に防ぐショーツを提供する。【解決手段】上部の腰回り部分にゴム４を挿着し、二股状に分かれた太もも部分の下部にゴム３、３’を挿着したボクサータイプのショーツ１の股間に吸水部２を設ける。【選択図】図１
2011218133.tif 000002
【特許請求の範囲】
【請求項１】
上部の腰回り部分にゴム（４）を挿着し、二股状に分かれた太もも部分の下部にゴム（３）、（３’）を挿着したボクサータイプのショーツ（１）の股間に吸水部（２）を設けたことを特徴とする生理用の紙ショーツ。
【発明の詳細な説明】
【技術分野】
【０００１】  本発明は、生理の時に使用する紙のショーツに関するものである。
【背景技術】
【０００２】  従来、生理の時は布のショーツに紙のナプキンをあてて対応していた。
【先行技術文献】
【０００３】
【特許文献１】  特開２００３−２３５８８９
【特許文献２】  特開２００３２１０５１８
【発明の概要】
【発明が解決しようとする課題】
【０００４】  従来、生理の時の横漏れ及び後ろ漏れによる、衣類及び寝具等の汚れを完全に防ぐことが不可能であった。本発明は以上の問題点を解決するためになされたものである。
【課題を解決するための手段】
【０００５】  上部の腰回り部分にゴムを挿着する。二股状に分かれた太もも部分の下部にゴムを挿着する。股間に吸水部を設ける。
以上の構成からなる生理用紙ショーツ。
【発明の効果】
【０００６】  従来不可能とされていた生理の時の横漏れ及び後ろ漏れを完全に防ぎ、衣類及び寝具等の汚れを完全に防ぐことができる。
【図面の簡単な説明】
【０００７】
【図１】本発明の正面図
【発明を実施するための形態】
【０００８】  以下、本発明の形態を説明する。
（イ）防水の紙（１）で全体のショーツの形を（２）ボクサータイプとする。
（ロ）股の部分には横漏れ及び後ろ漏れを防ぐため吸水性の（３）吸水部分を現在の紙オムツより薄く、短く入れ込む。
（ハ）太ももの部分（４）もフィットするように（５）ゴムを入れる。
本発明は以上のような構造である。
本発明を使用するときは、布の生理用ショーツにナフキンを当てて使用した上から、オーバーショーツのように使用する。また、本発明を直接使用しても、生理用ナフキンを本発明に当てて使用することもできる。
【符号の説明】
【０００９】（１）防水紙ショーツ
（２）吸水部分
（３）太ももの部分のゴム
（４）腰回りのゴム
【図１】
2011218133.tif 000003
(57)【要約】【課題】今までは、家族や仲間たちと屋内でゴルフゲームを楽しみたいと思っても、一人づつがおのおので楽しむテレビゲームのようなバーチャル的なものしかなく、実際のゴルフのような臨場感のあるゲームを数人で同時に楽しむことはできなかった。  本発明は、屋内で実際のゴルフ場で行うようなゴルフを、数人が一緒に味わえるよう卓上ゴルフゲーム機として提供する。【解決手段】ショットマシン本体の内側前後に２枚の主軸固定板を設け、スプリングが取付けられた主軸を前後の主軸固定板の穴に通し、主軸の前部の端にクラブを差込むための凹部を設ける。後部にはクラブをスイングさせるためのスイング用のバーを設ける。ゴルフクラブには、主軸の凹部に差し込めるよう凸部を設ける。【選択図】図１
2011218132.tif 000002
【特許請求の範囲】
【請求項１】
ゴルフマシン本体の内側の前後に、主軸を通す穴をあけた主軸固定板を２枚取付け、スプリングを取り付けた主軸を主軸固定板を貫くように設け、主軸の前部にはクラブ差込み用の凹部を設け、その凹部にクラブの凸部をセットし、主軸の後部にクラブをスイングさせるショット用のバーを設けた卓上ゴルフゲーム機。
【発明の詳細な説明】
【技術分野】
【０００１】  本発明は、屋内で数人が一度に楽しめる卓上ゴルフゲーム機に関するものである。
【背景技術】
【０００２】  従来、ゴルフは屋外で楽しむスポーツで、屋内で楽しみたい場合は、テレビゲームのようなバーチャル的なものしかなく、大勢が一度に参加して行うというものはなかった。
【発明の概要】
【発明が解決しようとする課題】
【０００３】  従来、ゴルフの好きな人が屋内でもゴルフを楽しみたいときは、テレビゲームのようなバーチャル的なものしかなく、しかも一人で行うものしかなかった。
本発明は、以上の問題点を解決するためになされたものである。
【課題を解決するための手段】
【０００４】  ゴルフマシン本体の内側前後に、主軸を通す穴をあけた主軸固定板を２枚を取り付け、スプリングを取付けた主軸を２枚の主軸固定板を貫くように設ける。
主軸の前部にはクラブ差し込み用の凹部を設け、その凹部にクラブの凸部をセットし、主軸の後部にクラブをスイングさせるためのショット用のバーを設ける。
以上の構成よりなる卓上ゴルフゲーム機。
【発明の効果】
【０００５】  従来、ゲーム機でのゴルフはテレビゲーム機のようなバーチャル的なものしかなく、各々が一人だけで行うしかなかった。臨場感を持たせる本発明により、数人が一度に同じ場所でゴルフ場での醍醐味を味わうことができる。
本発明は、実際のゴルフのようにクラブの選択という醍醐味も兼ね備えている。
【図面の簡単な説明】
【０００６】
【図１】本発明の側面透視図
【図２】本発明の前面拡大図
【図３】本発明の使用中前面図
【図４】本発明の使用中上面透視図
【図５】本発明の部品斜視図
【図６】本発明の部品説明図
【発明を実施するための形態】
【０００７】  以下、本発明の実施の形態を説明する。
（イ）ゴルフマシン本体（１）の前後に、主軸（２）を通す穴をあけた主軸固定板（５）を２枚取付ける。
（ロ）主軸固定板（５）に、スプリング（４）を取付けた主軸（２）を差し込む。
（ハ）主軸（２）の前部には、クラブ（６）のクラブ差込み凸部（７）を嵌め込むためのクラブ差込み凹部（８）を設ける。
（ニ）クラブ（６）には、主軸（２）のクラブ差込み凹部（８）に嵌め込むためのクラブ差込み凸部（７）を設ける。
（ホ）主軸（２）の後部には、クラブ（６）をスイングさせるためのショット用バー（３）を設ける。
本発明は以上のような構造である。
本発明を使用するときは、マシン本体（１）を目標に向かって所定の位置に据え、主軸（２）の前部のクラブ差込み凹部（８）に、クラブ（６）のクラブ差込み凸部（７）をセットする。
クラブ（６）のヘッドの位置に合わせてボール（９）を置き、主軸（２）の後部のショット用バー（３）を左に傾けると、クラブ（６）がバックスイングを始め、ショット用バー（３）を離すと、クラブ（６）がスプリング（４）の力で素早く元の位置に戻り、ボール（９）を前方に強く弾く。
【符号の説明】
【０００８】（１）ゴルフマシン本体、（２）主軸、（３）ショット用バー、（４）スプリング、（５）主軸固定板、（６）クラブ、（７）クラブ差込み凸部、（８）クラブ差込み凹部、（９）ボール、（１０）スプリング止め、（１１）足
【図１】
2011218132.tif 000003
【図２】
2011218132.tif 000004
【図３】
2011218132.tif 000005
【図４】
2011218132.tif 000006
【図５】
2011218132.tif 000007
【図６】
2011218132.tif 000008
(57)【要約】【課題】従来のバッグやリュックサックは、ひとまとめに物を入れて、持ち運びが出来る便利さはあるが、用途が限定され、よく使う物などを取り出す際に面倒である。また、ショルダーバッグ等は肩に掛けたバンドがずれ易く、従来の肩掛けバンドは一ヶ所で、または固定されたフック等で荷物などを吊ることで、多様性に欠けるものと思われ改良点がある。本発明は、肩掛けバンド本体に、複数の小物や手荷物を掛けることが出来る万能肩掛けバンドを提供する。【手段】肩掛けバンド本体に、ずれ防止バンドを付け、肩掛けバンド本体を左肩、または右肩に掛け、ずれ防止バンドを反対側の首元に掛けて、肩掛けバンド本体にある複数の接続部に、荷吊り用バンド、荷吊り用フック等を付けて使用する。【選択図】図２
2011218134.tif 000002
【特許請求の範囲】
【請求項１】
肩掛けバンド本体（１）に、複数の接続部を付けたことで、荷吊り用バンド（５）、荷吊り用フック（６）、フック（７）等を接続することで、複数の小物や手荷物等などを掛けることが出来ることを特徴とする万能肩掛けバンド。
【請求項２】
接続部を付けたことで、脱着が可能となり、色々な荷吊り用のバンドやフック等に付け替えて、使用することを特徴とする、請求項１記載の万能肩掛けバンド。
【請求項３】
肩掛けバンド本体（１）に、ずれ防止バンド（４）を付けることで、肩掛けバンド本体（１）が、肩からずれ落ちないことを特徴とする、請求項１または請求項２記載の万能肩掛けバンド。
【請求項４】
肩掛けバンド本体（１）は、左肩または右肩のどちらでも使用が出来ることを特徴とする、請求項１または請求項２または請求項３記載の万能肩掛けバンド。
【発明の詳細な説明】
【技術分野】
【０００１】本発明は、万能肩掛けバンドに、複数の小物や手荷物等を掛けることが出来る、肩掛けバンドに関するものである。
【背景技術】
【０００２】従来から肩に掛けるものとして、片方の肩にバンドを掛けて使用するショルダーバッグ等や、両肩にバンドを掛けて背負うリュックサックなどがある。
いずれも、複数の小物や荷物を、ひとまとめにバッグの中に入れて、持ち運びのできる便利なものとして使用されている。【０００３】また、肩掛けバンドとして、バンドにフックを付けることで、色々な荷物を掛けることの出来る肩掛けバンドが知られている。
【先行技術文献】
【０００４】
【特許文献１】特許出願  ２００３−４０２５７
【特許文献２】特許出願  平９−３０９１７１
【発明の概要】
【発明が解決しようとする課題】
【０００５】従来の肩に掛けるものとしての欠点は、
イ）ショルダーバッグ等は、肩に掛けるバンドと袋状のバッグに接続部はあるものの、一つの物となっており、用途が限定されている。
ロ）リュックサック等の背負う物は、背中にバッグがあるため、物を取り出す際に不便である。
ハ）いずれも、一つの袋状となっており、ひとまとめに物を入れるため、よく使う物などは、取り出すのが大変である。
ニ）ショルダーバッグ等の肩に掛けるバンドは、ずれ落ちやすい。
ホ）従来の肩掛けバンドは、固定されたフック等、または、一ヶ所だけで荷物を掛ける不便さがある。
本発明は、以上の問題点を解決するために、発明されたものである。
【課題を解決するための手段】
【０００６】肩掛けバンド本体（１）に、ずれ防止バンド（４）をずれ防止用接続部（２）に接続し、肩掛けバンド本体（１）を、左肩か右肩に掛けて、ずれ防止バンド（４）を、反対側の首元に掛ける。【０００７】肩掛けバンド本体（１）にある複数の荷吊り用接続部（３）に、荷吊り用バンド（５）荷吊り用フック（６）を用途に応じて接続する。フック（７）は、荷吊り用バンド（５）に付けて使用する。
以上の構成によりなる万能肩掛けバンド。
【発明の効果】
【０００８】本発明を、使用することにより
イ）小物や手荷物等、複数のものを肩に掛けた、肩掛けバンド本体に掛けることが出来る。
ロ）肩掛けバンド本体にある、複数の脱着が可能な接続部に、荷吊り用のバンドやフックを付け替えることで、色々な使い方が出来る。
ハ）肩掛けバンド本体に、掛けた物は脇腹のあたりにあるので、物が取りやすい。
ニ）肩掛けバンド本体に、ずれ防止バンドを使用することで、ずれ落ちる心配がなく、また、荷物が無い状態で肩掛けバンド本体を肩に掛けていても、邪魔にならず、必要な時に使用が出来る。
【図面の簡単な説明】
【０００９】
【図１】本発明の斜視図
【図２】本発明の使用状態を示す斜視図
【発明を実施するための形態】
【００１０】以下、本発明の実施の形態は、図２を参照して説明する。
イ）肩掛けバンド本体（１）に、ずれ防止バンド（４）をずれ防止用接続部（２）に接続し、肩掛けバンド本体（１）を、左肩か右肩に掛け、ずれ防止バンド（４）を反対側の首元に掛ける。
ロ）荷吊り用バンド（５）を、荷吊り用接続部（３）の上段と下段に、それぞれ接続し、フック（７）を中段の荷吊り用バンド（５）に付ける。
ハ）下段の荷吊り用接続部（３）に、荷吊り用フック（６）を前と後ろの荷吊り用接続部（３）に、それぞれ一つずつ付ける。
本発明は、以上の構成よりなる。
【００１１】本発明を使用する場合、
イ）上段の荷吊り用バンド（５）に、携帯電話等を入れる小物入れを付ける。
ロ）中段の荷吊り用バンド（５）に付けたフック（７）に、買い物袋等を掛ける。
ハ）下段は、手提げバッグの取っ手の付け根にある接続部に、荷吊り用フック（６）を、それぞれに付ける。
本発明の実施にあたり、この説明・手順は限定されるものではない。
【符号の説明】
【００１２】１  肩掛けバンド本体
２  ずれ防止用接続部
３  荷吊り用接続
４  ずれ防止バンド
５  荷吊り用バンド
６  荷吊り用フック
７  フック
【図１】
2011218134.tif 000003
【図２】
2011218134.tif 000004
(57)【要約】      （修正有）【課題】今日、失禁対応用おむつなどの装具とは異なった、男性用の排尿時残尿漏れ、滴下などに対する対処具が、女性用に較べて汎用していない状況があり、暗黙のままに個人で処置されている実態がある。近年、長寿高齢者人口の増加に伴い、相当数の該当者が長時間をかけた排尿後において、尿切りのため陰茎を振る際の尿飛散によるズボンの黄染み、尿臭や、パンツ内陰茎収納後の、尿の漏れ出しや滴下に悩まされている現実がある。【解決手段】一応の排尿終了感が得られた時点で、本器具、万年筆型ホールダー１にセットされたロール状紙筒基体３を陰茎先端部に接することにより、陰茎内の残尿を毛細管現象により短時間のうちに吸着吸収する。紙筒は複数回の使用に耐えるので、あらたな使用面がなくなればホールダーから外して付属のポリ小袋に入れて廃棄する。【選択図】図１
2011218130.tif 000002
【特許請求の範囲】
【請求項１】
老年期、男性は排尿完了までに時間を要するようになり、排尿後も出きってしまわず、陰茎内に尿が残るため、
○  陰茎を尿切りのため振る際にズボンに飛散した尿が付着、次第にズボンには黄染みを作り、異臭の元となる。
○  パンツ内に陰茎収納後も尿が出て、尿じみを作る。
○  陰茎先から膝下まで尿が滴下する。
などの不快な経験をしばしばするようになる。本発明は、これを簡単に防ぐ男性用万年筆型携帯着脱式残尿吸収処理具に関するものである。
▲１▼本発明では、排尿後陰茎先に当てて、残尿分を吸収吸着させる直径２〜３ｃｍ程度の中空ロール状の柔く、厚身のある紙筒を発明の基体とする。
▲２▼男性用万年筆型残尿吸収処理具は、この紙筒と、この紙筒を保持するキャップ内軸部分に設けられたプラスチックや、金属製などの格子状又は網状の円筒形ホールダーとからなっている。
▲３▼使用時には、このホールダーにロール状紙筒をセットする。
▲４▼携帯時は、この器具のキャップをして紙筒を保護する仕組みとする。
▲５▼キャップは細紐で本体と繋げる。簡易Ａ型。
▲６▼キャップはスライド式として先端方向に移動することで、万年筆型器具の中央部が円筒半分程度窓状に開口、紙筒が露出するようにし、その部分を陰茎先に当てて尿を吸収できる構造、その他、蝶番式半割蓋型などのＢ型ヴァリエーションが可能である。
【発明の詳細な説明】
【技術分野】
【０００１】  本発明は、尿失禁対応の器具ではなく、飽くまでも排尿後の残尿漏れに対応するもので、男性老年者の排尿後、
○  陰茎先を尿切りのため振る際にズボンに飛散した尿が付着、次第にズボンに黄じみを作る、異臭の元となる。
○  パンツ内に陰茎収納後も尿が出て、尿じみを作る。
○  陰茎先から膝下まで滴下する。
などの不快な事態を防止解消するための器具に関するもの。手早い処理が可能でコンパクトに携帯運搬ができ、複数回使用後、カセット式で尿吸収紙筒部分を廃棄することが可能である。
【背景技術】
【０００２】  従来、排尿に著しく時間をかけて防ぐか、その後の尿滲出についてはティッシュなどで自ら対応する程度であった。とりたてて積極的な対応はなかったと思われる。
【特許文献１】
【発明の開示】
【発明が解決しようとする課題】
【０００３】  現段階では、女性の尿漏れ防止対応の「パンティーライナー」などの存在に対し、男性用には積極的な器具対応が工夫されず、個人夫々の対応に委ねられていたと思われるが、長寿社会・老齢人口の増加の中で、排尿後の尿漏出に対して安心清潔な処理が求められる時期が来ており、安価簡単に防止することを工夫したものである。
【課題を解決するための手段】
【０００４】  男性における老年期の排尿時間長期化は身体機能の低下に伴う自然の方向であるが、排尿終了後尿切りのため陰茎振りつけによるズボンへの尿の飛散や、陰茎パンツ内収納時の残尿漏れ出し、滴下は非衛生的であり、本人も不快である。これを防ぐため、本器具のキャップを引き抜き、露出した柔かい中空ロール状紙筒に陰茎先を当てて残尿を陰茎内から毛細管現象を利用して吸い出すことで短時間のうちに残尿排出を完了させる。
【発明の効果】
【０００５】  本発明を使用することによって、多くの男性老年者が残尿による不快感、不衛生な生活から解放され、快適な成果を実感することができる。
【発明を実施するための最良の形態】
【０００６】  ▲１▼本器具の主目的である排尿終了後の陰茎内残尿吸着のため、中空ロール状の肌当りの柔い厚さ３〜５ｍｍ程度の厚身のある紙製の筒を本発明の基体とする。この紙筒は残尿量の多寡に応じて（Ａ）紙のみのものと、（Ｂ）高分子吸水剤を軸に近い内側に貼り付けたものの２種類を用意する。
▲２▼本器具は、この紙筒を、万年筆型の器具内に収められた、網または格子状の、プラスチックか金属製のホルダーに嵌め込んで保持する形態とする。
▲３▼使用時以外はキャップを被せて、ホールダーに嵌め込んだソフトなロール状紙筒を保護する。
▲４▼複数回、残尿吸着に使用後、ホールダーから抜きとり専用のポリ小袋に入れて廃棄する。
▲５▼万年筆型のキャップは細い紐で本体に繋ぎ止める形とする簡便な「Ａ型」。
▲６▼好みに応じて、キャップはスライド式に先端方向に引いて、万年筆状軸体中央部に窓状に紙筒が露出するよう開口部を設けて使用し、使用後はスライドキャップを戻して携帯する形態や蝶番式半割蓋などの「Ｂ型」、ヴァリエーションが可能である。
▲７▼なおＢ型では、開口窓面で吸着に使用した後、複数回紙面を利用できるよう、キャップと反対側の先端にあるツマミを回転させて、ロールの面を変えて使用する仕組みとする。
【図面の簡単な説明】
【０００７】
【図１】本発明の斜視図
2011218130.tif 000003
【符号の説明】
【０００８】  （１）万年筆型残尿吸着用紙筒ホールダー  斜視図  （２）万年筆型ホールダー内にセットされている、紙筒保持用中空網状・格子状などの中空ホールダー（３）厚身のある、柔いロール状の紙筒基体（４）キャップ（５）Ｂ型の場合にロールの向きを換えるためのツマミ
【図１】
2011218130.tif 000004
【図２】
2011218130.tif 000005
【図３】
2011218130.tif 000006
【手続補正書】
【提出日】平成22年6月9日(2010.6.9)
【手続補正１】
【補正対象書類名】明細書
【補正対象項目名】０００７
【補正方法】変更
【補正の内容】
【０００７】
【図１】  本発明の斜視図
【図２】  本発明ロール状紙筒の断面図と万年筆型ホールダーへの本発明品セットイメージ図
【図３】  万年筆型円形ホールダーのスライド式開口部イメージ図
(57)【要約】      （修正有）【課題】洗濯後に、洗濯物を網袋に入れてハンガーや竿に吊るし、干す時は中から出して干し、乾いて外した時は中に入れ、袋を持って移動する、吊下げる洗濯用具を提供する。【解決手段】網袋１の開口部に枠２を設け、吊具３の先端に連結する掛け具４を設け、枠と吊具を連結して網袋をハンガーや竿に吊るし、洗濯物の出し入れを近接した位置で操作することを特徴とする吊下げる洗濯用具であり枠に関節部を設けることも出来る吊り下げる洗濯用具。【選択図】図１
2011218129.tif 000002
【特許請求の範囲】
【請求項１】
網袋の開口部に枠を設け、吊具とその先端に連結する掛具を設け、枠と吊具を連結して網袋を吊るすことを特徴とする吊り下げる洗濯用具。
【発明の詳細な説明】
【技術分野】
【０００１】  本発明は、洗濯物をハンガーや竿などに干すとき、又は、乾いて外すときの作業を容易で迅速にするための、吊り下げる洗濯用具に関するものである。
【背景技術】
【０００２】  従来、洗濯籠や網袋に入れた洗濯物を、ハンガーや竿などに干すとき、互いが別の位置にあり、その間を往復する動作を繰り返していて、時間がかかり面倒であった。
【発明の開示】
【発明が解決しようとする課題】
【０００３】  そのために、次のような問題点があった。
干すとき、籠や網袋から洗濯物を取り出し干すが、その度に体の屈伸を繰り返す。
乾いて外す時は、落下しないように注意しながら保持する。そのため、多数ある場合は厄介で煩わしく、疲れる作業であった。
本発明は、以上の問題を解決しようとするものである。
【課題を解決するための手段】
【０００４】網袋の開口部に枠を設け、吊具とその先端に連結した掛け具を設ける。枠と吊具を連結し、網袋をハンガーや竿に吊るして作業する事を特徴とする吊り下げる洗濯用具である。
【洗発明の効果】
【０００５】本発明は、網袋をハンガーや竿に吊し両間を近接にする。従って洗濯物を干したり外したりの作業を容易で簡便にし煩わしさが無い。
【本発明を実施するための最良の形態】
【０００６】以下本発明の実施の形態を説明する。
（イ）網袋（１）の開口部に、枠（２）を設ける。
（ロ）（３）を設け、その先端に連結する掛具（４）を設ける。
（ハ）掛具（４）は、吊具（３）を介して網袋（１）の枠（２）と連結する。
（ニ）枠（２）に関節部を設ける。
本発明は、以上の構成によって成っている。
本発明を使用する時は、干す物を網袋（１）に入れ、掛具（４）によりハンガー，又は竿に吊るす。ハンガーに吊るした場合は、網袋はその直下に位置し、袋から出して干し、竿に吊るす場合は、干す手元に吊るす。そして、乾けば外して直ぐ袋に入れ、袋を持って移動する。従って、網袋はハンガーや竿とは接近した位置で操作が出来るので作業効率良く、急ぐ時には迅速に作業できて時間を短縮する。
この結果、離れた間隔の往復や体の屈伸動作は無い。吊具の枠や掛具との連結部は可動で、掛ける場所の状態に応じ吊るせる。又、枠に関節部（５）をを設けてあり、使用後に枠を折りたたみ収納できる。
【図面の簡単な説明】
【０００７】
【図１】本発明の正面図
【図２】本発明の側面図
【図３】本発明をハンガーに吊るした使用状態の斜視図
【符号の説明】
【０００８】１  網袋
２  枠
３  吊具
４  掛具
５  関節部
【図１】
2011218129.tif 000003
【図２】
2011218129.tif 000004
【図３】
2011218129.tif 000005
(57)【要約】      （修正有）【課題】男性が立って小便をする際に尿の拡散を防止するとともに、使用後はトイレに流せる、男性用尿拡散防止具を提供する。【解決手段】薄葉紙２の片面にラミーを施し、その面が内側となるように筒状に丸めた形状に保ち、筒状の一端を細くし尿の出口３を設け、反対側にペニスを挿入できる縁４を設け、ペニスのサイズに対応出来るように一部を開口し伸縮縁６を形成した。外側が薄葉紙２なので小便をしたあとにペニス等を拭きとることもできる。【選択図】図２
2011218123.tif 000002
【特許請求の範囲】
【請求項１】
薄葉紙（２）の反対面に片面ラミー（１）を塗着し貼着部（５）を合わせて貼着し筒状にしペニス挿入口縁（４）と尿出口縁（７）を設け、その内部に尿出口（３）と貼着中央部（８）の上部に伸縮縁（６）を設けた事を特徴とする男性用尿拡散防止具。
【発明の詳細な説明】
【技術分野】
【０００１】本発明は、男性がトイレで、立って小便をすると飛散り便器や床を汚してしまう事が多くあり、これを防止する男性用尿防止具に関するものである。
【背景の技術】
【０００２】従来、トイレを汚さないようにするには、できるだけ便器に近く寄るか、便座に座ってするか、便器の前に膝を下ろして、する人が居ると思うが。
【発明が解決しようとする課題】
【０００３】男性が小便をすると年令によっても格差があるが、尿が遠くや足元や左右に飛び散るのを具を使用て阻止する事を目的である。
以上の問題点を解決するためのものである。
【問題を解決するための手段】
【０００４】薄葉紙の片面にラミーを施し台形状にカットし筒状になるように細い方から五分の四程を貼着し、五分の一を貼着しないで、ペニスの大きさに適合でるようにしてある事を特徴とする。
【０００５】ペニス挿入口縁を設けペニスを包みこむように押さえ、そのまま便器内部を目掛けて小便をすることにより拡散しないように尿出口縁を狭めてある事を特徴とする。
【０００６】筒状の内部にラミー施すことにより本の数分間の形状を崩さないので小便をしても手や便器を汚さない事を特徴とする。
【発明の効果】
【０００７】家庭にあるトイレや大衆の人が使用する場所あるトイレや長距離列車等の揺れ動く乗り物に使用する事により後で使用する人たちが清潔な気持ちで使用できる。
【０００８】薄葉紙を使用している事により片面にラミーを施していても水に浸すとすぐに溶け込み便器を詰まらす事はなく使用できる。
【０００９】筒状の内部はラミー施しているが、外側は薄葉紙又は、ティッシュペーパーのように柔らかいので小便をした後にペニスを拭いたり万が一便器を汚したときに拭きとる事もできて、トイレに流せる。
【００１０】薄葉紙を使用していることにより、二重に折畳むことができ何十枚と重ねる事ができ箱に収納できる事により上からでも下からでも取出す事ができる、箱の形態よりどんな収納と取出しも可能である。
【発明を実施するための形態】
【００１１】以下、本発明の実施の形態について図面を参照して説明する。
図１の片面ラミー１を施した面を筒の内側にし、ペニス挿入口縁４と尿出口縁７を設け、貼着部５を設け其の上部に伸縮縁６を設けたもの。
【００１２】図２の両端の貼着部５を合わせて貼着し、筒状に保持しペニス挿入口縁４を大きい縁側にし、その上部に伸縮縁６を設け貼着部５に接続し、薄葉紙２を外部に設けたものである。
【００１３】図３は、平面から視たもので、貼着部５を合わせ貼着し、その上部に伸縮縁６そわせる先端に尿出口３を設けたもの。
【００１４】図４のペニス挿入口縁４の側から視た正面図で尿出口３は背面図に表れるように先端の下側に設け、その中央の上部に貼着中央部８を設けてある。
【００１５】図５の尿出口３を尿出口縁７で囲い、貼着部５を合わせて貼着し其の上部の伸縮縁６部は貼着しないでペニスのサイズに自由に適合させられるようにしてある。
【００１６】図６のペニス挿入口縁４を二重に折畳んだ状態を表したもの。又、両脇は薄葉紙２が全体に表れる。
【００１７】図７の尿出口３を中央部から二重に折畳むと貼着部５と一直線になり、両脇は薄葉紙２が全体に表れる。
【図面の簡単な説明】
【００１８】
【図１】本発明の片面にラミーを施工した型図
【図２】本発明の斜視図
【図３】本発明の平面図
【図４】本発明のペニス挿入側の正面図
【図５】本発明の尿出口側の背面図
【図６】本発明の折畳んだペニス挿入側の正面図
【図７】本発明の折畳んだ尿出口側の背面図
【符号の説明】
【００１９】１    片面ラミー
２    薄葉紙
３    尿出口
４    ペニス挿入口縁
５    貼着部
６    伸縮縁
７    尿出口縁
８    貼着中央部
【図１】
2011218123.tif 000003
【図２】
2011218123.tif 000004
【図３】
2011218123.tif 000005
【図４】
2011218123.tif 000006
【図５】
2011218123.tif 000007
【図６】
2011218123.tif 000008
【図７】
2011218123.tif 000009